(57)【要約】【課題】着用物品の取出性に優れる、気密性を有する、着用物品の個包装体を提供すること。【解決手段】着用物品の個包装体１であって、着用物品３が、個包装体１の厚さ方向Ｔにおける一方の面２７及び他方の面２９を有し、包装体９が、一方の面２７を覆う第１層１１と、他方の面２９を覆う第２層１３と、第１層１１及び第２層１３の周縁部１５の少なくとも一部をシールしているシール部１７と、周縁部１５に配置された開封部１９とを備え、個包装体１が、開封面Ｓにより、第１領域５５及び第２領域５７に区画され、着用物品３が、第１領域５５及び第２領域５７に渡って配置されており、固定部２５が、第１領域５５において、着用物品３を、包装体９に固定しており、着用物品３の開封面Ｓにおける剛軟度が、包装体９の、開封部１９からの開封方向Ｄ1への引裂強度よりも低いことを特徴とする着用物品の個包装体１。【選択図】図１
2018057444.tif 000002
【特許請求の範囲】
【請求項１】
着用物品と、前記着用物品を個包装し且つ気密性を有する包装体と、固定部とを備え、厚さ方向と、前記厚さ方向と直交する開封方向及び取出方向とを有する、着用物品の個包装体であって、
前記着用物品が、前記厚さ方向における一方の面及び他方の面を有し、
前記包装体が、前記一方の面を覆う第１層と、前記他方の面を覆う第２層と、第１層及び第２層の周縁部の少なくとも一部をシールしているシール部と、前記周縁部に配置された開封部とを備え、
前記個包装体が、前記開封部を通り且つ前記開封方向及び前記厚さ方向と平行な開封面により、第１領域及び第２領域に区画され、
前記着用物品が、第１領域及び第２領域に渡って配置されており、
前記固定部が、第１領域において、前記着用物品を、前記包装体に固定しており、
前記着用物品の前記開封面における剛軟度が、前記包装体の、前記開封部からの前記開封方向への引裂強度よりも低い、
ことを特徴とする、前記着用物品の個包装体。
【請求項２】
前記着用物品の、前記開封面における前記開封方向の引裂強度が、前記包装体の前記引裂強度よりも高い、請求項１に記載の個包装体。
【請求項３】
前記着用物品が、着用物品本体と、着用物品に固定されている粘着部と、前記粘着部と剥離可能に粘着している剥離シートとを含み、前記剥離シートが、前記一方の面を構成する第１剥離シートを有し、前記固定部が、第１領域において、第１剥離シートを前記包装体の第１層に固定している、請求項１又は２に記載の個包装体。
【請求項４】
前記個包装体が、前記取出方向において、第１領域に存在する端縁である第１領域端縁と、第２領域に存在する端縁である第２領域端縁とを有し、前記着用物品本体の、第２領域端縁に最も近い端縁である着用物品本体端縁が、第１剥離シートの、第２領域端縁に最も近い端縁である第１剥離シート端縁よりも第２領域端縁に近い、請求項３に記載の個包装体。
【請求項５】
第１剥離シート端縁が、第１領域に存在する、請求項４に記載の個包装体。
【請求項６】
前記粘着部が第１剥離シートと接する第１粘着部を有し、前記固定部が、前記厚さ方向において第１粘着部と重複しておらず、前記固定部が、前記取出方向において、第１粘着部よりも前記開封面に近く且つ第１粘着部と所定の間隔を空けて配置されている、請求項４又は５に記載の個包装体。
【請求項７】
前記着用物品が、前記取出方向に１回又は複数回折畳まれている、請求項４〜６のいずれか一項に記載の個包装体。
【請求項８】
前記着用物品が、１つの折り軸に沿って、前記取出方向に１回折畳まれており、前記着用物品が、前記折り軸を基準として、第１層よりの着用物品第１層と、第２層よりの着用物品第２層とに区画される、請求項４〜７のいずれか一項に記載の個包装体。
【請求項９】
前記折り軸が第１領域に存在し、着用物品第１層の、第２領域端縁に最も近い端縁である着用物品第１層端縁が、第２領域に存在し、そして着用物品第１層端縁が、着用物品第２層の、第２領域端縁に最も近い端縁である着用物品第２層端縁よりも第２領域端縁に近い、請求項８に記載の個包装体。
【請求項１０】
前記折り軸が第１領域に存在し、着用物品第１層の、第２領域端縁に最も近い端縁である着用物品第１層端縁と、着用物品第２層の、第２領域端縁に最も近い端縁である着用物品第２層端縁との両端縁が、第２領域に存在するとともに、前記両端縁の第２領域端縁からの距離が同一である、請求項８に記載の個包装体。
【請求項１１】
前記折り軸が第２領域に存在し、着用物品第１層の、第２領域端縁に最も近い端縁である着用物品第１層端縁と、着用物品第２層の、第２領域端縁に最も近い端縁である着用物品第２層端縁との両端縁が、第１領域に存在する、請求項８に記載の個包装体。
【請求項１２】
前記個包装体が、第２固定部をさらに備え、前記剥離シートが、前記他方の面を構成する第２剥離シートをさらに有し、前記粘着部が、第２剥離シートと剥離可能に粘着している第２粘着部をさらに有し、第２固定部が、第１領域において、第２剥離シートを、前記包装体の第２層に固定しており、第２固定部が、前記厚さ方向において第２粘着部と重複しておらず、第２固定部が、前記取出方向において、第２粘着部よりも前記開封面に近く且つ第２粘着部と所定の間隔を空けて配置されている、請求項１０又は１１に記載の個包装体。
【請求項１３】
前記開封部が、切欠部である、請求項１〜１２のいずれか一項に記載の個包装体。
【請求項１４】
前記開封部が、前記開封方向の両側部に配置された、一対の開封部であり、前記開封方向が、前記一対の開封部を通る仮想線と平行である、請求項１〜１３のいずれか一項に記載の個包装体。
【発明の詳細な説明】
【技術分野】
【０００１】
本開示は、着用物品の個包装体に関する。
【背景技術】
【０００２】
生理用ナプキン、パンティーライナー、紙オムツ等の着用物品を、１つずつ包装シートで包むことにより個包装化された、着用物品の個包装体が知られている。着用物品を個包装化することにより、着用物品を１つずつ、簡易に且つ衛生的に持ち運ぶことができる。
また、上記着用物品の個包装体では、包装シートに気密性を持たせることにより、着用物品に揮発性物質を含ませることが検討されている。
【０００３】
例えば、特許文献１には、生理用ナプキン、パンティライナー、陰唇間装置、タンポン、又は失禁用具である婦人衛生用吸収性物品であって、前記物品が、包装材料から製造された蒸気不透過性の包装の中に包装されており、前記包装が前記物品を完全に包み込み及び前記物品が外部環境に接触するのを防ぎ、前記物品が２０℃で少なくとも０．０１ｍｂａｒの蒸気圧を有する非水性揮発性物質を含み、前記包装材料が、メンチルラクテートに関して本明細書に記載される透過性試験に従って、２５％以下の透過性を有することを特徴とする、婦人衛生用吸収性物品が記載されている。
特許文献１では、上記包装シートが、中間層として、揮発性物質の透過性の低いバリア層を含むことにより、個包装体が保持する揮発性物質の揮発を抑制している。
【先行技術文献】
【特許文献】
【０００４】
【特許文献１】特表２００７−５２５２４５号公報
【発明の概要】
【発明が解決しようとする課題】
【０００５】
特許文献１に記載の吸収性物品の個包装体では、包装材料（５）のフラップ部分（４）が、クリンプシール等により長手方向縁部に沿って封止されうるものの、包装材料（５）の終縁部（１）は、接着剤の線（９）により接着されている。従って、特許文献１に記載の個包装体は、気密性が不十分である。
【０００６】
気密性に優れる個包装体としては、例えば、２枚の気密性を有する包装シートで、着用物品を挟むとともに、２枚の気密性を有する包装シートの周縁部をシールした周縁部シール型の個包装体が知られている。そのような周縁部シール型の個包装体では、周縁部に、開封を補助するための切欠等の開封部を設けることが一般的である。そのような個包装体では、切欠等の開封部から包装体を開封面に沿って開封する際に、包装体を大きく構成し且つ着用物品が開封面と交差しないように、着用物品を包装体に格納するのが一般的である。包装体を開封する際に、着用物品の破断等が生じる可能性があるためである。また、気密性に優れる着用物品の個包装体では、その厚さが薄い場合が多く、個包装体を開封後、個包装体から着用物品を取出すのが難しい場合が多かった。以上のように、従来の周縁部シール型の個包装体では、着用物品の取出性に劣っていた。
従って、本開示は、着用物品の取出性に優れる、気密性を有する、着用物品の個包装体を提供することを目的とする。
【課題を解決するための手段】
【０００７】
本開示者らは、着用物品と、上記着用物品を個包装し且つ気密性を有する包装体と、固定部とを備え、厚さ方向と、上記厚さ方向と直交する開封方向及び取出方向とを有する、着用物品の個包装体であって、上記着用物品が、上記厚さ方向における一方の面及び他方の面を有し、上記包装体が、上記一方の面を覆う第１層と、上記他方の面を覆う第２層と、第１層及び第２層の周縁部の少なくとも一部をシールしているシール部と、上記周縁部に配置された開封部とを備え、上記個包装体が、上記開封部を通り且つ上記開封方向及び上記厚さ方向と平行な開封面により、第１領域及び第２領域に区画され、上記着用物品が、第１領域及び第２領域に渡って配置されており、上記固定部が、第１領域において、上記着用物品を、上記包装体に固定しており、上記着用物品の上記開封面における剛軟度が、上記包装体の、上記開封部からの上記開封方向への引裂強度よりも低いことを特徴とする着用物品の個包装体を見出した。
【発明の効果】
【０００８】
本開示の、気密性を有する、着用物品の個包装体は、着用物品の取出性に優れる。
【図面の簡単な説明】
【０００９】
【図１】図１は、第１実施形態に従う個包装体１の斜視図である。
【図２】図２は、図１のＩＩ−ＩＩ断面における、個包装体１の断面図である。
【図３】図３は、着用物品３の斜視図である。
【図４】図４は、着用物品３の分解斜視図である。
【図５】図５は、個包装体１からの着用物品３の取出し方の一例を説明するための図である。
【図６】図６は、個包装体１からの着用物品３の取出し方の一例を説明するための図である。
【図７】図７は、個包装体１からの着用物品３の取出し方の一例を説明するための図である。
【図８】図８は、個包装体１からの着用物品３の取出し方の一例を説明するための図である。
【図９】図９は、個包装体１からの着用物品３の取出し方の一例を説明するための図である。
【図１０】図１０は、第２実施形態に従う個包装体１を説明するための図である。
【図１１】図１１は、第３実施形態に従う個包装体１を説明するための図である。
【図１２】図１２は、引裂強度の測定方法を説明するための図である。
【発明を実施するための形態】
【００１０】
具体的には、本開示は以下の態様に関する。
［態様１］
着用物品と、上記着用物品を個包装し且つ気密性を有する包装体と、固定部とを備え、厚さ方向と、上記厚さ方向と直交する開封方向及び取出方向とを有する、着用物品の個包装体であって、
上記着用物品が、上記厚さ方向における一方の面及び他方の面を有し、
上記包装体が、上記一方の面を覆う第１層と、上記他方の面を覆う第２層と、第１層及び第２層の周縁部の少なくとも一部をシールしているシール部と、上記周縁部に配置された開封部とを備え、
上記個包装体が、上記開封部を通り且つ上記開封方向及び上記厚さ方向と平行な開封面により、第１領域及び第２領域に区画され、
上記着用物品が、第１領域及び第２領域に渡って配置されており、
上記固定部が、第１領域において、上記着用物品を、上記包装体に固定しており、
上記着用物品の上記開封面における剛軟度が、上記包装体の、上記開封部からの上記開封方向への引裂強度よりも低い、
ことを特徴とする、上記着用物品の個包装体。
【００１１】
上記個包装体では、着用物品が第１領域、開封面及び第２領域に渡って配置されているとともに、着用物品の所定の剛軟度が、包装体の所定の引裂強度よりも低いので、着用者が、包装体を開封部から開封する際に、着用物品を破断等させずに、そして包装体を開封面に沿って開封することができる。また、着用者は、包装体を開封後、露出した着用物品の第２領域を把持して、着用物品を包装体から簡易に取出すことができる。従って、上記個包装体は、着用物品の取出性に優れる。
【００１２】
［態様２］
上記着用物品の、上記開封面における上記開封方向の引裂強度が、上記包装体の上記引裂強度よりも高い、態様１に記載の個包装体。
上記個包装体では、着用物品の所定の引裂強度が、包装体の所定の引裂強度よりも高いので、包装体を開封部から開封する際に、着用物品を破断等させにくい。
【００１３】
［態様３］
上記着用物品が、着用物品本体と、着用物品に固定されている粘着部と、上記粘着部と剥離可能に粘着している剥離シートとを含み、上記剥離シートが、上記一方の面を構成する第１剥離シートを有し、上記固定部が、第１領域において、第１剥離シートを上記包装体の第１層に固定している、態様１又は２に記載の個包装体。
【００１４】
上記個包装体では、固定部が、第１領域において、第１剥離シートを包装体の第１層に固定しているので、包装体を開封後、着用者が、露出した着用物品の第２領域を把持して、着用物品を取出方向に沿って包装体から取出す際に、第１剥離シートが、包装体の第１領域に残存しやすくなるので、着用者が、着用物品本体を直接取出すことができ、そして取出した着用物品本体を簡易に使用することができる。
【００１５】
［態様４］
上記個包装体が、上記取出方向において、第１領域に存在する端縁である第１領域端縁と、第２領域に存在する端縁である第２領域端縁とを有し、上記着用物品本体の、第２領域端縁に最も近い端縁である着用物品本体端縁が、第１剥離シートの、第２領域端縁に最も近い端縁である第１剥離シート端縁よりも第２領域端縁に近い、態様３に記載の個包装体。
【００１６】
上記個包装体では、着用物品本体端縁が、第１剥離シートの第１剥離シート端縁よりも第２領域端縁に近いため、着用者が、包装体を開封後、第１剥離シートを把持せずに着用物品本体を直接把持することができるので、着用者が、着用物品本体を包装体から直接取出すことができ、そして取出した着用物品本体を簡易に使用することができる。
【００１７】
［態様５］
第１剥離シート端縁が、第１領域に存在する、態様４に記載の個包装体。
上記個包装体では、第１剥離シート端縁が第１領域に存在するので、着用者が、包装体を開封後、第１剥離シートを把持せずに着用物品本体をより確実に直接把持することができるので、着用者が、着用物品本体を包装体から直接取出すことができ、そして取出した着用物品本体を簡易に使用することができる。
【００１８】
［態様６］
上記粘着部が第１剥離シートと接する第１粘着部を有し、上記固定部が、上記厚さ方向において第１粘着部と重複しておらず、上記固定部が、上記取出方向において、第１粘着部よりも上記開封面に近く且つ第１粘着部と所定の間隔を空けて配置されている、態様４又は５に記載の個包装体。
【００１９】
上記個包装体では、第１剥離シートに接している固定部と、第１粘着部とが、所定の位置関係にあるため、着用者が、包装体を開封後、露出した着用物品本体の第２領域を把持して、着用物品本体を包装体から取出方向に沿って取出す際に、第１剥離シートが着用物品本体の第１粘着部から外れやすいので、着用者が、着用物品本体を包装体から簡易に取出すことができ、そして取出した着用物品本体を簡易に使用することができる。
【００２０】
［態様７］
上記着用物品が、上記取出方向に１回又は複数回折畳まれている、態様４〜６のいずれか一項に記載の個包装体。
【００２１】
上記個包装体では、着用物品が取出方向に１回又は複数回折畳まれているので、着用物品のサイズが、その展開状態と比較して小さくなり、着用者が、包装体を開封後、露出した着用物品の第２領域を把持して、着用物品を包装体から取出方向に沿って取出す際に、着用物品を包装体から簡易に取出すことができる。また、個包装体そのもののサイズを小さくすることができる。
【００２２】
［態様８］
上記着用物品が、１つの折り軸に沿って、上記取出方向に１回折畳まれており、上記着用物品が、上記折り軸を基準として、第１層よりの着用物品第１層と、第２層よりの着用物品第２層とに区画される、態様４〜７のいずれか一項に記載の個包装体。
【００２３】
上記個包装体では、着用物品が１つの折り軸にそって１回折畳まれているので、着用物品のサイズそのものが、その展開状態と比較して小さくなり、着用者が、包装体を開封後、露出した着用物品の第２領域を把持して、着用物品を包装体から取出方向に沿って取出す際に、着用物品を包装体から簡易に取出すことができる。また、個包装体そのもののサイズを小さくすることができる。
【００２４】
［態様９］
上記折り軸が第１領域に存在し、着用物品第１層の、第２領域端縁に最も近い端縁である着用物品第１層端縁が、第２領域に存在し、そして着用物品第１層端縁が、着用物品第２層の、第２領域端縁に最も近い端縁である着用物品第２層端縁よりも第２領域端縁に近い、態様８に記載の個包装体。
【００２５】
上記個包装体では、着用物品第１層端縁が、第２領域に存在するとともに、着用物品第２層端縁よりも第２領域端縁に近いので、着用者が、包装体を開封後、着用物品第１層を把持して、着用物品本体を包装体から簡易に取出すことができる。
【００２６】
［態様１０］
上記折り軸折返し部が第１領域に存在し、着用物品第１層の、第２領域端縁に最も近い端縁である着用物品第１層端縁と、着用物品第２層の、第２領域端縁に最も近い端縁である着用物品第２層端縁との両端縁が、第２領域に存在するとともに、上記両端縁の第２領域端縁からの距離が同一である、態様８に記載の個包装体。
【００２７】
上記個包装体では、着用物品第１層端縁と、着用物品第２層端縁との両端縁が、第２領域に存在するとともに、両端縁の第２領域端縁からの距離が同一であるため、着用者が、包装体を開封後、着用物品第１層及び着用物品第２層の両層を把持して、着用物品本体を包装体から簡易に取出すことができる。
【００２８】
［態様１１］
上記折り軸が第２領域に存在し、着用物品第１層の、第２領域端縁に最も近い端縁である着用物品第１層端縁と、着用物品第２層の、第２領域端縁に最も近い端縁である着用物品第２層端縁との両端縁が、第１領域に存在する、態様８に記載の個包装体。
【００２９】
上記個包装体では、折り軸が第２領域に存在し、着用物品第１層端縁と、着用物品第２層端縁との両端縁が第１領域に存在するので、着用者が、包装体を開封後、着用物品本体の折り軸付近を把持して、着用物品本体を包装体から簡易に取出すことができる。
【００３０】
［態様１２］
上記個包装体が、第２固定部をさらに備え、上記剥離シートが、上記他方の面を構成する第２剥離シートをさらに有し、上記粘着部が、第２剥離シートと剥離可能に粘着している第２粘着部をさらに有し、第２固定部が、第１領域において、第２剥離シートを、上記包装体の第２層に固定しており、第２固定部が、上記厚さ方向において第２粘着部と重複しておらず、第２固定部が、上記取出方向において、第２粘着部よりも上記開封面に近く且つ第２粘着部と所定の間隔を空けて配置されている、態様１０又は１１に記載の個包装体。
【００３１】
上記個包装体では、第１剥離シートに接している固定部と、第１粘着部とが、所定の位置関係にあり、そして第２剥離シートに接している第２固定部と、第２粘着部とが、所定の位置関係にあるため、着用者が、包装体を開封後、露出した着用物品（着用物品本体）の第２領域、具体的には、着用物品第１層及び着用物品第２層の両層、又は折り軸付近を把持して、着用物品を包装体から取出方向に沿って取出す際に、第１剥離シート及び第２剥離シート、ひいては剥離シートそのものが着用物品本体から外れやすいので、着用者が、着用物品本体を包装体から直接取出すことができ、そして取出された着用物品本体を簡易に使用することができる。
【００３２】
［態様１３］
上記開封部が、切欠部である、態様１〜１２のいずれか一項に記載の個包装体。
上記個包装体では、開封部が切欠部であるため、包装体を開封する際に、開封面に沿って開封しやすい。
【００３３】
［態様１４］
上記開封部が、上記開封方向の両側部に配置された、一対の開封部であり、上記開封方向が、上記一対の開封部を通る仮想線と平行である、態様１〜１３のいずれか一項に記載の個包装体。
上記個包装体では、開封部が、開封方向の両側部に配置された、一対の開封部であるので、着用者が開封方向を把握しやすくなり、着用者に、意図した方向に開封してもらいやすくなる。また、着用者が、自己の利き腕、手の動かしやすさ等に応じて、開封面に沿った任意の開封を行うことができる。
【００３４】
本開示の着用物品の個包装体について、以下、詳細に説明する。なお、以下、着用物品の個包装体を、単に「個包装体」と称する場合がある。
図１〜図４は、本開示の実施形態の１つ（以下、「第１実施形態」と称する）に従う、着用物品の個包装体１を説明するための図である。具体的には、図１は、着用物品の個包装体１の斜視図である。図２は、図１のＩＩ−ＩＩ断面における、個包装体１の断面図である。図３は、着用物品３の斜視図である。図４は、着用物品３の分解斜視図である。
【００３５】
第１実施形態に従う個包装体１は、着用物品３と、包装体９と、固定部２５とを備える。個包装体１は、厚さ方向Ｔと、厚さ方向Ｔと直交する開封方向Ｄ1及び取出方向Ｄ2とを有し、そして開封方向Ｄ1と、取出方向Ｄ2とは、直交している。すなわち、厚さ方向Ｔと、開封方向Ｄ1と、取出方向Ｄ2とは、お互いに直交している。
【００３６】
着用物品３は、厚さ方向Ｔにおける一方の面２７及び他方の面２９を有する。着用物品３は、図３及び図４に示されるように、肌当接面３５を有する肌当接シート３３、中間層３７、及び着衣当接面４１を有する着衣当接シート３９を含む着用物品本体３１と、着用物品本体３１を着衣に固定するための粘着部４３と、粘着部４３と剥離可能に粘着している剥離シート４９とを、その順で備える。着用物品３は、温感シートであり、肌当接シート３３に、温感剤と、水とを含む温感組成物（図示せず）が塗工されている。
【００３７】
着用物品３は、肌当接シート３３の肌当接面３５を内側にして、折り軸Ｆを基点として１回折畳まれている。従って、着用物品３の一方の面２７及び他方の面２９の両方を、剥離シート４９が構成している。詳細には、着用物品３の一方の面２７は、後述する、剥離シート４９の第１剥離シート５１が構成し、着用物品３の他方の面２９は、後述する、剥離シート４９の第２剥離シート５３が構成している。
【００３８】
着用物品３は、着用物品３の展開状態における、すなわち、折り軸Ｆを基点として折畳まれていない状態における長手方向Ｌ及び幅方向Ｗが、それぞれ、個包装体１の取出方向Ｄ2及び開封方向Ｄ1と一致するように、包装体９に格納されている。また、着用物品３は、折り軸Ｆが、後述する第１領域５５に存在するように、包装体９に格納されている。
【００３９】
着用物品３は、折り軸Ｆを基準として、包装体第１層１１よりの着用物品第１層５と、包装体第２層１３よりの着用物品第２層７とに区画される。また、剥離シート４９は、折り軸Ｆを基準として、包装体第１層１１側の第１剥離シート５１と、包装体第２層１３側の第２剥離シート５３とに区画される。なお、第１剥離シート５１と、第２剥離シート５３とは、連続した１枚のシート（剥離シート４９）である。さらに、粘着部４３は、折り軸Ｆを基準として、包装体第１層１１側の第１粘着部４５と、包装体第２層１３側の第２粘着部４７とに区画される。なお、第１粘着部４５と、第２粘着部４７とは、連続している。
【００４０】
包装体９は、気密性を有し、着用物品３を個包装している。包装体９は、着用物品３の一方の面２７を覆う包装体第１層１１と、着用物品３の他方の面２９を覆う包装体第２層１３と、包装体第１層１１及び包装体第２層１３の周縁部１５の全部（四方）をシールしているシール部１７と、周縁部１５に配置された、一対の開封部１９（２１，２３）とを備えている。包装体第１層１１及び包装体第２層１３のそれぞれは、略矩形の形状を有している。シール部１７は、包装体第１層１１及び包装体第２層１３の周縁部を、取出方向Ｄ2の両端部と、開封方向Ｄ1の両端部とにおいてシールしている。
【００４１】
一対の開封部１９の開封部２１及び開封部２３は、それらの頂点がお互いに向かい合うように配置された、略三角形の形状を有する切欠部であり、そしてシール部１７を切り欠くことにより形成されている。
なお、本明細書では、包装体の第１層及び第２層を、着用物品第１層及び着用物品第２層と区別するため、それぞれ、包装体第１層及び包装体第２層と称する場合がある。
【００４２】
個包装体１は、開封部２１及び開封部２３を通り、そして開封方向Ｄ1と、厚さ方向Ｔとに平行な開封面Ｓにより、第１領域５５と、第２領域５７とに区画される。なお、開封方向Ｄ1は、開封部２１及び開封部２３を通る仮想直線（図示せず）と平行である。
【００４３】
着用物品３は、個包装体１の第１領域５５から第２領域５７に渡って連続して配置されている。
固定部２５は、第１領域５５において、着用物品３を包装体９に固定している。具体的には、固定部２５は、第１領域５５において、着用物品３の第１剥離シート５１を、包装体９の包装体第１層１１に固定している。
【００４４】
第１実施形態に従う個包装体１では、着用物品３の開封面Ｓにおける剛軟度が、包装体９を、開封部２１又は開封部２３から開封方向Ｄ1に引裂く引裂強度よりも低い。また、第１実施形態に従う個包装体１では、着用物品３の、開封面Ｓにおける開封方向Ｄ1の引裂強度が、包装体９の上記引裂強度よりも高い。着用物品３の剛軟度又は引裂強度と、包装体９の引裂強度との関係の意義は、図５〜図９に関連して説明する。
【００４５】
図５〜図９は、個包装体１からの着用物品３（着用物品本体３１）の取出し方の一例を説明するための図である。図５〜図９を用いて、第１実施形態に従う個包装体１についてさらに説明する。
着用者は、図５に示されるように、開封面Ｓ（図５〜図９では、見やすさのため、開封面Ｓを、一点鎖線で表示している）を間にはさんで、左手で個包装体１の第１領域５５を把持し、右手で個包装体１の第２領域５７を把持する。具体的には、左手の親指を、個包装体１の手前の位置に配置し、そして左手の人差し指を個包装体１の奥の位置に配置し、個包装体１の第１領域５５の開封部２１の近傍部分を把持する。同様に、右手の親指を個包装体１の手前の位置に配置し、そして右手の人差し指を個包装体１の奥の位置に配置し、個包装体１の第２領域５７の開封部２１の近傍部分を把持する。
【００４６】
次いで、図６に示されるように、右手１０３を、厚さ方向Ｔの奥側に動かすことにより、個包装体１の第２領域５７を、厚さ方向Ｔの奥側に倒し、開封部２１から、開封面Ｓに沿って、個包装体１の第２領域５７を、個包装体１の第１領域５５から切り離す。切離す際、着用物品３の第２領域５７、特に、着用物品３の開封面Ｓと交差する部分は、厚さ方向Ｔの奥向きの力（下向きの力）を受ける。
【００４７】
個包装体１では、着用物品３の開封面Ｓにおける剛軟度が、包装体９を、開封部２１から開封方向Ｄ1に引裂く引裂強度よりも低いので、個包装体１の第２領域５７を厚さ方向Ｔの奥側に倒す際に、着用物品３が、包装体９と一緒になって厚さ方向Ｔの奥側に倒れることができ、着用物品３が、着用物品３に加わる厚さ方向の力を逃がすことができ、着用物品３に皺、部分的な伸び、破断等が発生しにくくなる。また、着用物品３が、包装体９、具体的には、包装体９の包装体第２層１３を開封面Ｓに沿って引裂くことを阻害しにくくなるので、包装体９を開封面Ｓに沿って引裂きやすくなる。
【００４８】
図７は、包装体９の第２領域５７を、包装体９の第１領域５５から、開封面Ｓに沿って完全に切離した後の個包装体１を示す図である。図７に示されるように、着用物品３の第２領域５７が、個包装体１の第１領域５５から露出している。なお、実使用上は、着用物品３を包装体９から取出すために、包装体９の第２領域５７を、包装体９の第１領域５５から完全に切り離す必要はない。
【００４９】
図８は、図７のＶＩＩＩ−ＶＩＩＩ断面における断面図である。着用者は、左手で個包装体１の第２領域５７を把持し、右手で着用物品３、具体的には、着用物品本体３１の第２領域５７を把持し、着用物品本体３１を、取出方向Ｄ2の向かって右方向に引き出すことができる。そうすることにより、着用物品本体３１を、包装体９から簡易に取出すことができる。
【００５０】
図２及び図８に示されるように、個包装体１は、取出方向Ｄ2において、第１領域５５に存在する端縁である第１領域端縁５９と、第２領域５７に存在する端縁である第２領域端縁６１とを有する。着用物品本体３１の、第２領域端縁６１に最も近い端縁である着用物品本体端縁６３が、第１剥離シート５１の、第２領域端縁６１に最も近い端縁である第１剥離シート端縁６５よりも第２領域端縁６１に近い。そうすることにより、着用者が、包装体９を開封後、第１剥離シート５１を把持せずに着用物品本体３１を直接把持することができ、着用者が、着用物品本体３１を包装体９から直接取出すことができ、そして取出した着用物品本体３１を簡易に使用することができる。
【００５１】
また、第１実施形態の個包装体１では、第１剥離シート端縁６５は、個包装体１の第１領域５５に存在する。そうすることにより、着用者が、包装体９を開封後、第１剥離シート５１を把持せずに着用物品本体３１をより確実に直接把持することができるので、着用者が、着用物品本体３１を包装体９から直接取出すことができ、そして取出した着用物品本体３１を簡易に使用することができる。
【００５２】
図２及び図８に示されるように、着用物品第１層５の、第２領域端縁６１に最も近い端縁である着用物品第１層端縁６７が、第２領域５７に存在し、そして着用物品第１層端縁６７が、着用物品第２層７の、第２領域端縁６１に最も近い端縁である着用物品第２層端縁６９よりも第２領域端縁６１に近い。そうすることにより、着用者が、包装体９を開封後、着用物品第１層５を把持して、着用物品本体３１を包装体から簡易に取出すことができる。
【００５３】
固定部２５は、厚さ方向Ｔにおいて、第１粘着部４５と重複しておらず、固定部２５が、取出方向Ｄ2において、第１粘着部４５よりも開封面Ｓに近く且つ第１粘着部４５と所定の間隔Ｉを空けて配置されている。換言すると、第１剥離シート５１が、固定部２５及び第１粘着部４５と重複していない非重複領域７１を有する。そうすることにより、図９に示されるように、着用物品本体３１を包装体９から取出す際に、第１剥離シート５１の非重複領域７１が、開封面Ｓに向かってたわみ、次いで、第１粘着部４５を第１剥離シート５１から順次剥離させるための剥離誘導部として機能するため、第１粘着部４５が第１剥離シート５１から簡易に剥離し、次いで、第２粘着部４７が第２剥離シート５３から簡易に剥離し、ひいては着用物品本体３１を、包装体９から簡易に取出すことができる。
【００５４】
なお、図５〜図９に示される取出し方は一例であり、第１実施形態に従う個包装体１からの着用物品３の取出し方、並びに本開示の個包装体からの着用物品の取出し方は、上述の取出し方に限定されるものではない。例えば、利き腕により、第１領域及び第２領域の位置が変わる場合があり、そして個包装体（包装体）の第１領域又は第２領域を動かす厚さ方向（遠位側又は近位側）が変わりうる。
【００５５】
図１０は、本開示の別の実施形態（以下、「第２実施形態」と称する）に従う個包装体１を説明するための図であり、図１のＩＩ−ＩＩ断面に相当する断面図である。
第２実施形態に従う個包装体１の包装体９では、包装体第１層１１と、包装体第２層１３とが、個包装体１の第２領域端縁６１で繋がっており、シール部１７が、包装体第１層１１及び包装体第２層１３の周縁部１５を、個包装体１の第１領域端縁５９と、取出方向Ｄ2の両側縁との三方においてシールしている。
【００５６】
第２実施形態に従う個包装体１では、折り軸Ｆが第１領域５５に存在し、着用物品第１層５の着用物品第１層端縁６７と、着用物品第２層７の着用物品第２層端縁６９との両端縁が、第２領域５７に存在するとともに、両端縁の第２領域端縁６１からの距離が同一である。そうすることにより、着用者が、包装体９を開封後、着用物品第１層５及び着用物品第２層７の両層を把持して、着用物品本体３１を包装体９から簡易に取出すことができる。
【００５７】
また、第２実施形態に従う個包装体１は、固定部２５と、第２固定部７３とを備える。固定部２５は、厚さ方向Ｔにおいて、第１粘着部４５と重複しておらず、固定部２５が、取出方向Ｄ2において、第１粘着部４５よりも開封面Ｓに近く且つ第１粘着部４５と所定の間隔Ｉを空けて配置されている。換言すると、第１剥離シート５１が、固定部２５及び第１粘着部４５と重複していない非重複領域７１を有する。また、第２固定部７３は、第１領域５５において、第２剥離シート５３を、包装体９の包装体第２層１３に固定しており、第２固定部７３が、厚さ方向Ｔにおいて第２粘着部４７と重複しておらず、第２固定部７３が、取出方向Ｄ2において、第２粘着部４７よりも開封面Ｓに近く且つ第２粘着部４７と所定の間隔Ｉ2を空けて配置されている。換言すると、第２剥離シート５３が、第２固定部７３及び第２粘着部４７と重複していない第２非重複領域７５を有する。
【００５８】
そうすることにより、着用者が、包装体９を開封後、露出した着用物品３（着用物品本体３１）の第２領域５７、具体的には、着用物品第１層５及び着用物品第２層７の両層を把持して、着用物品本体３１を包装体９から取出方向Ｄ2に沿って取出す際に、第１剥離シート５１の非重複領域７１と、第２剥離シート５３の第２非重複領域７５との両方が、開封面Ｓに向かってたわみ、次いで、第１粘着部４５を第１剥離シート５１から順次剥離させるための剥離誘導部と、第２粘着部４７を第２剥離シート５３から順次剥離させるための剥離誘導部として機能するため、第１剥離シート５１及び第２剥離シート５３、ひいては剥離シート４９そのものが着用物品本体３１から外れやすい。
【００５９】
従って、着用者が、着用物品本体３１を包装体９から直接取出すことができ、そして取出された着用物品本体３１を簡易に使用することができる。
第２実施形態に従う個包装体１は、上述の箇所以外は、第１実施形態に従う個包装体１と同様であるため、説明を省略する。
【００６０】
図１１は、本開示の別の実施形態（以下、「第３実施形態」と称する）に従う個包装体１を説明するための図であり、図１のＩＩ−ＩＩ断面に相当する断面図である。
第３実施形態に従う個包装体１では、折り軸Ｆが第２領域５７に存在し、着用物品第１層５の着用物品第１層端縁６７と、着用物品第２層７の着用物品第２層端縁６９との両端縁が、第１領域５５に存在する。そうすることにより、着用者が、包装体９を開封後、着用物品本体３１の折り軸Ｆ付近を把持して、着用物品本体３１を包装体９から簡易に取出すことができる。
【００６１】
また、第３実施形態に従う個包装体１は、固定部２５と、第２固定部７３とを備える。固定部２５は、厚さ方向Ｔにおいて、第１粘着部４５と重複しておらず、固定部２５が、取出方向Ｄ2において、第１粘着部４５よりも開封面Ｓに近く且つ第１粘着部４５と所定の間隔Ｉを空けて配置されている。換言すると、第１剥離シート５１が、固定部２５及び第１粘着部４５と重複していない非重複領域７１を有する。また、第２固定部７３は、第１領域５５において、第２剥離シート５３を、包装体９の包装体第２層１３に固定しており、第２固定部７３が、厚さ方向Ｔにおいて第２粘着部４７と重複しておらず、第２固定部７３が、取出方向Ｄ2において、第２粘着部４７よりも開封面Ｓに近く且つ第２粘着部４７と所定の間隔Ｉ2を空けて配置されている。換言すると、第２剥離シート５３が、第２固定部７３及び第２粘着部４７と重複していない第２非重複領域７５を有する。
【００６２】
そうすることにより、着用者が、包装体９を開封後、露出した着用物品３（着用物品本体３１）の第２領域５７、具体的には、折り軸Ｆ付近を把持して、着用物品本体３１を包装体９から取出方向Ｄ2に沿って取出す際に、第１剥離シート５１の非重複領域７１と、第２剥離シート５３の第２非重複領域７５との両方が、開封面Ｓに向かってたわみ、次いで、第１粘着部４５を第１剥離シート５１から順次剥離させるための剥離誘導部と、第２粘着部４７を第２剥離シート５３から順次剥離させるための剥離誘導部として機能するため、第１剥離シート５１及び第２剥離シート５３、ひいては剥離シート４９そのものが着用物品本体３１から外れやすい。
従って、着用者が、着用物品本体３１を包装体９から直接取出すことができ、そして取出された着用物品本体３１を簡易に使用することができる。
【００６３】
本開示の個包装体では、着用物品には、着用物品が着用される部位の観点から、人体に着用して用いられる物品（以下、「人体着用物品」と称する場合がある）と、着衣に着用して用いられる物品（以下、「着衣着用物品」と称する場合がある）とが含まれる。
【００６４】
また、上記着用物品には、機能の観点から、例えば、人体由来の排泄物（例えば、糞便、尿、血液、体液等）を吸収する物品（以下、「吸収性物品」と称する場合がある）と、人体に特定成分、作用等を付与する物品（以下、「特定成分等付与物品」と称する場合がある）とが含まれる。
なお、第１実施形態に従う個包装体１では、着用物品３が、肌当接シート３３、中間層３７、及び着衣当接シート３９を含む着用物品本体３１と、粘着部４３と、剥離シート４９とを、その順で備えているが、本開示の個包装体では、着用物品は、その種類に応じた層構成を有することができる。
【００６５】
上記吸収性物品としては、例えば、生理用ナプキン、パンティーライナー、尿取りパッド等（以上、着衣着用物品）、救急絆創膏（以上、人体着用物品）等が挙げられる。
上記特性成分等付与物品としては、着用者に熱を付与する加温シート、着用者に温感を付与する温感シート、保湿シート（以上、人体着用物品及び着衣着用物品）、湿布、アイマスク（以上、人体着用物品）等が挙げられる。
【００６６】
上記特定成分としては、芳香成分、冷感成分、温感成分、発熱成分、消臭成分、抗菌成分、スキンケア成分、並びにそれらの任意の組み合わせから成る群から選択される成分が挙げられる。
上記芳香成分としては、当技術分野で香料として用いられているものであれば、特に制限されず、例えば、沸点が約２５０℃以下の高揮発性香料、沸点が約２５０〜約３００℃の中揮発性香料が挙げられる。
【００６７】
上記冷感成分としては、当技術分野で冷感材として知られているものが挙げられ、例えば、皮膚の神経にある受容体活性化チャネル（ＴＲＰＭ８）に作用するもの、例えば、メントール（例えば、ｌ−メントール）及びその誘導体（例えば、乳酸メンチル）、サリチル酸メチル、カンファー、植物（例えば、ミント、ユーカリ）由来の精油等が挙げられる。また、上記冷感剤としては、気化熱により周囲の温度を下げるもの、例えば、アルコール、例えば、メタノール及びエタノールが挙げられる。
【００６８】
上記温感成分としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、並びにそれらの任意の組み合わせが挙げられる。
【００６９】
上記発熱成分としては、例えば、金属粉（例えば、鉄粉）の酸化熱、酸及びアルカリの中和熱、無機塩の水和熱等の化学エネルギーを利用するものが挙げられる。
上記消臭成分としては、当技術分野で消臭剤として知られているものが挙げられる。
上記スキンケア成分としては、例えば、消炎成分、鎮痒成分、かぶれ防止成分、保湿成分等が挙げられ、例えば、メントール、サリチル酸メチル等が挙げられる。
【００７０】
上記抗菌成分としては、例えば、第４級アンモニウム塩、グアニジン系抗菌剤（例えば、グルコン酸クロルヘキシジン、塩酸クロルヘキシジン）、ビグアナイド系抗菌剤、金属イオン担持物、ヘキセチジン、メタロニダゾール等が挙げられる。
【００７１】
本開示の個包装体において、着用物品が、着衣当接面を有する着用物品本体と、着衣当接面に配置された粘着部と、粘着部と剥離可能に粘着している剥離シートとを含む場合には、上記粘着部は、当技術分野で用いられているものを特に制限なく採用することができ、そして上記剥離シートは、当技術分野で用いられているものを特に制限なく採用することができる。
【００７２】
本開示の個包装体では、着用物品は、折畳まれずに、包装体に包装されていてもよい。また、本開示の個包装体では、着用物品は折畳まれていてもよく、例えば、着用物品は、第１実施形態〜第３実施形態に示されるように、１回折畳まれていてもよく、そして２回以上折畳まれていてもよい。着用物品が折畳まれている場合には、着用物品は、取出方向に折畳まれていることが好ましく、着用物品は、取出方向と交差する方向に延びる折り軸に沿って折畳まれていることが好ましく、そして取出方向と直交する方向に延びる折り軸に沿って折畳まれていることが好ましい。着用物品の包装体からの取出しやすさの観点からである。
【００７３】
本開示の個包装体の包装体では、着用物品の一方の面を覆う包装体第１層と、着用物品の他方の面を覆う包装体第２層とは、第１実施形態及び第３実施形態に示されるように、別体の２枚のシートから構成されていてもよく、そして第２実施形態に示されるように、折畳まれた、単一のシートから構成されていてもよい。また、包装体第１層及び包装体第２層のそれぞれが、複数枚のシートから構成されていてもよい。
【００７４】
包装体第１層及び包装体第２層が別体の２枚のシートから構成される場合には、シール部は、それらの周縁部の全体をシールしていることが好ましい。また、包装体第１層及び包装体第２層が、折畳まれた単一のシートから構成される場合には、シール部は、包装体第１層及び包装体第２層の周縁部の、折畳まれた部分を除く全体をシールしていることが好ましい。包装体の気密性を確保する観点からである。
【００７５】
上記包装体を構成する包装シートの素材は、当技術分野で包装シートとして用いられているものが特に制限されずに採用され、例えば、ポリオレフィン系ポリマー、例えば、ポリエチレン及びポリプロピレンが挙げられる。上記包装シートは、上記個包装体の気密性を高める観点から、気密層を含むことが好ましく、そして当該気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【００７６】
上記包装体は、開封方向の引裂強度が、取出方向の引裂強度よりも低いことが好ましい。包装体を、開封部から、開封方向に沿って開封する観点からである。
【００７７】
本開示の個包装体では、上記シール部としては、包装体第１層及び包装体第２層を、接着剤を間に挟んで接着した接着部、包装体第１層及び包装体第２層を構成する包装シートを加熱し、それらの少なくとも一部を融着させた融着部等が挙げられる。包装体の気密性を向上させる観点からは、上記シール部は、融着部であることが好ましい。
【００７８】
本開示の個包装体では、上記開封部は、当技術分野で、包装体を開封するための開封部として用いられているものを特に制限されずに採用することができ、例えば、シール部に設けられた線状の切込部、切欠部（例えば、略三角形状、略矩形状等）、他のシール部よりも破断強度を低くした脆弱部等が挙げられる。
【００７９】
本開示の個包装体では、上記開封部は、開封方向の両端部に配置された、一対の開封部であることが好ましい。開封性を向上させる観点からである。
なお、本明細書では、開封方向は、着用物品を包装体から取出す方向のみならず、その逆の方向をも含む概念である。
【００８０】
本開示の個包装体では、開封方向は、個包装体の構造から明らかであり、一般的には、取出方向と交差する方向であり、より一般的には、取出方向と直交する方向である。また、上記開封方向は、開封部が、上述の一対の開封部である場合には、一対の開封部を通る仮想直線と平行であるのが一般的であり、そして開封部が単一のものである場合には、例えば、開封部が線状の切込部であるときには、線状の切込部が延びる方向と平行であり、そして開封部が略三角形状（包装体の端縁を底辺とし、包装体の内部に頂点を有する）の切欠部であるときには、略三角形状の高さ方向と平行であるのが一般的である。
【００８１】
本開示の個包装体では、包装体は、その周縁部に形成されたシール部以外の非シール部において（特に、開封部から開封方向に沿って、すなわち、開封面において）、包装体の開封を補助するための脆弱部を有しないことが好ましい。個包装体の使用前、例えば、輸送中、保管中等に個包装体に力が加わった場合に、包装体が上記脆弱部から破断し、包装体の気密性が損なわれる恐れがあるからである。
【００８２】
本開示の個包装体では、固定部と、所望による第２固定部とは、当技術分野で着用物品を包装体に固定するために用いられているものを特に制限されずに採用することができ、例えば、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【００８３】
本開示の個包装体では、着用物品の開封面における剛軟度が、包装体の、開封部からの開封方向への引裂強度よりも低く、そして上記引裂強度よりも、好ましくは１／２以下（５０％以下）、より好ましくは１／３以下（３３．３％以下）、さらに好ましくは１／４以下（２５％以下）であり、さらにいっそう好ましくは１／５以下（２５％以下）であり、そしてさらにいっそう好ましくは１／１０以下（１０％以下）である。
【００８４】
包装体を開封する際に、包装体の第１領域と、第２領域とは、個包装体の厚さ方向にそれらの距離を拡大しながら切り離されることになるが、着用物品が上述の剛軟度を有することにより、包装体の第１領域及び第２領域の動きに追従しやすくなるので、包装体の開封の際に、着用物品に伸び、皺等が生じにくくなる。また、上記剛軟度が上述の範囲にあることにより、着用物品が２つ折り、３つ折り、４つ折り等である場合に、着用物品が、包装体の内部で、２層構造部分、３層構造部分、４層構造部分等が開封面と重複するように動いてしまった場合であっても、包装体を開封部から開封する際に、包装体を、開封面に沿って開封することができる。
なお、包装体の、開封部からの開封方向への引裂強度を、以下、「包装体引裂強度」と称する場合がある。
【００８５】
本明細書では、着用物品の剛軟度は、以下の通り測定され、記載されていない事項は、ＪＩＳ  Ｌ  １９１３：２０１０「一般不織布試験方法」の「６．７．４  ガーレ法」に従う。
（１）恒温恒湿室（温度：２５±５℃，相対湿度：６５±５％）に、安田精機製作所社製のＮｏ．３１１ガーレー式柔軟度試験機を準備する。
（２）上記恒温恒湿室に、測定すべき個包装体を、開封せずに２４時間静置する。
【００８６】
（３）包装体のシール部を除去し、着用物品を取出し、着用物品の開封面に相当する部分に、マジック等で目印を付け、目印の部分が長手方向の中心付近にくるように、長さＬ＝１５ｍｍ及び幅ｄ＝１０ｍｍのサンプルを切り出す。なお、サンプルは、着用物品が包装体に包装されていた状態で採取する。すなわち、着用物品が折畳まれて包装体に包装されている場合には、サンプルは、折畳まれた状態の着用物品から採取する。
（４）サンプルを、第１領域がチャック側に配置され且つ第２領域が振り子Ｂ側に配置されるように、チャックにセットする。
【００８７】
（５）可動アームを定速回転させ、サンプルが振り子Ｂから離れる際の目盛り（ＲＧ1）を読む（１回目）。次いで、サンプルの表裏を反対にして、サンプルをガーレー式柔軟度試験機にセットし、サンプルが振り子Ｂから離れる際の目盛り（ＲＧ2）を読む（２回目）。
（６）以下の式から、剛軟度（ｍＮ）を計算する。
剛軟度（ｍＮ）
【数１】
2018057444.tif 000003
（７）異なるサンプルで、上述の測定を計５回繰り返し、上記剛軟度の平均値を採用する。
【００８８】
本明細書では、包装体引裂強度は、以下の通り測定される。
（１）恒温恒湿室（温度：２５±５℃，相対湿度：６５±５％）に、インストロン社製型式５５６４試験機と、測定すべき個包装体を、開封せずに２４時間静置する。
（２）図１２（ａ）に示されるように、個包装体１の第２領域端縁６１付近に切込み（図示せず）を入れ、着用物品（図示せず）を静かに取出し、包装体９から、サンプル１０５を切り出す。サンプル１０５は、開封部２１を、長手方向の一方の端部１０７且つ幅方向の中心とし、開封方向Ｄ1に１００ｍｍの長さ（長手方向長さ）、開封方向Ｄ1と直交する方向に４０ｍｍの長さ（幅方向長さ）で切り出す。なお、包装体の構造に起因して、１００ｍｍ×４０ｍｍのサンプルのサイズを確保することが難しい場合には、サンプルのサイズを適宜調整してもよい。
【００８９】
（３）サンプル１０５の長手方向の他方の端部１０９の幅方向の中心から、開封面（図示せず）に沿って、３０ｍｍの深さの切込み１１５を入れ、端部部分１１１及び端部部分１１３を形成する。
（４）サンプル１０５の端部部分１１１及び端部部分１１３を、それぞれ、上記試験機の治具１１７及び治具１１９に、チャック間距離：３０ｍｍでセットし、２００ｍｍ／分の速度で、チャック間距離を６０ｍｍまで拡大し、引裂試験を行う。
（５）上記引裂試験における最大強度（ｍＮ）を、引裂強度（ｍＮ）として採用する。
（６）上記引裂試験を、異なるサンプルで計１０回繰り返し、その平均値を採用する。
【００９０】
本開示の個包装体では、着用物品の、開封面における開封方向の引裂強度が、包装体引裂強度よりも高く、そして包装体引裂強度よりも、好ましくは２倍以上、より好ましくは３倍以上、そしてさらに好ましくは４倍以上低い。包装体を開封する際に、包装体の第１領域と、第２領域とは、個包装体の厚さ方向にそれらの距離を拡大しながら切り離されることになるが、着用物品引裂強度が、包装体引裂強度と上述の関係を有することにより、その際に、着用物品が破断しにくくなり、そして着用物品に伸びが生じにくくなる。
なお、着用物品の、開封面における開封方向の引裂強度を、以下、「着用物品引裂強度」と称する場合がある。
【００９１】
上記着用物品引裂強度は、以下の通り測定される。
（１）恒温恒湿室（温度：２５±５℃，相対湿度：６５±５％）に、インストロン社製型式５５６４試験機と、測定すべき個包装体を、開封せずに２４時間静置する。
（２）個包装体１の第２領域端縁６１付近に切込み（図示せず）を入れ、着用物品（図示せず）を静かに取出し、着用物品から、サンプルを切り出す。サンプルは、開封面に沿って、図１２に示されるサンプル１０５と同様にカットし、そして３０ｍｍの深さの切込みを入れる。
（３）包装体引裂強度と同様にして、着用物品引裂強度を測定する。
【００９２】
本開示の個包装体において、着用物品が、着用物品本体と、着用物品に固定されている粘着部と、上記粘着部と剥離可能に粘着している剥離シートとを含む場合には、粘着部は、着用物品本体の肌当接面、例えば、肌当接シートの肌当接面に固定されていてもよく、そして着用物品本体の着衣当接面、例えば、着衣当接シートに固定されていてもよく、着用物品の種類に応じて変化しうる。
【００９３】
また、本開示の個包装体において、着用物品が、着用物品本体と、着用物品に固定されている粘着部と、上記粘着部と剥離可能に粘着している剥離シートとを含む場合には、固定部が、第１領域において、第１剥離シートを包装体の第１層に固定していることが好ましい。着用物品と包装体との位置関係を保持し、着用物品を第２領域に確実に存在させるためである。
【００９４】
また、上述の場合には、着用物品本体端縁が、第１剥離シートの第１剥離シート端縁よりも第２領域端縁に近いことが好ましく、第１剥離シート端縁が、第１領域に存在することがより好ましい。包装体を開封後、第１剥離シートを把持せずに着用物品本体をより確実に直接把持する観点からである。なお、第１剥離シートの第１剥離シート端縁は、第２領域に存在してもよい。着用者が、第１剥離シートを避けて、着用物品本体の第２領域を把持し、着用物品本体のみを取出すことができるか、又は着用者が、着用物品本体及び第１剥離シート（ひいては剥離シート）を、一緒に取出すことができるからである。
【００９５】
また、上述の場合には、粘着部が第１剥離シートと接する第１粘着部を有し、固定部が、厚さ方向において第１粘着部と重複しておらず、固定部が、取出方向において、第１粘着部よりも上記開封面に近く且つ第１粘着部と所定の間隔を空けて配置されていることが好ましい。着用者が、包装体を開封後、露出した着用物品本体の第２領域を把持して、着用物品本体を包装体から取出方向に沿って取出す際に、第１剥離シートが着用物品本体の第１粘着部から外れやすいからである。
【００９６】
もっとも、本開示の個包装体では、上述の場合において、固定部が、厚さ方向において第１粘着部と重複していてもよく、そして第１粘着部が、取出方向において、固定部よりも開封面に近い位置に配置されていてもよい。着用者が、着用物品本体及び第１剥離シート（ひいては剥離シート）を、一緒に取出すことができるからである。
【００９７】
本開示の個包装体において、着用物品が、１つの折り軸に沿って、取出方向に１回折畳まれている場合には、折り軸は、第１領域に存在してもよく、そして第２領域に存在してもよい。
【００９８】
折り軸が第１領域に存在する場合には、着用物品第１層の着用物品第１層端縁は、第１領域に存在し、そして着用物品第１層端縁が、着用物品第２層の着用物品第２層端縁よりも第２領域端縁に近いことが好ましい。着用者が着用物品を個包装体から取出す際に、着用物品の着用物品第１層を確実に把持するためである。
着用物品第２層の着用物品第２層端縁は、任意の位置、例えば、第１領域又は第２領域に存在することができるが、着用者が着用物品を個包装体から取出す際に、着用物品の着用物品第１層及び着用物品第２層を把持すべき場合には、着用物品第２層の着用物品第２層端縁は、着用物品第１層の着用物品第１層端縁と近い位置に存在することが好ましい。
【００９９】
折り軸が第２領域に存在する場合には、着用物品第１層の着用物品第１層端縁は、第１領域に存在する必要が有るが、着用物品第２層の着用物品第２層端縁は、任意の位置、例えば、第１領域又は第２領域に存在することができる。着用物品第２層の着用物品第２層端縁が第１領域及び第２領域のいずれかに存在する場合であっても、着用者が着用物品を個包装体から取出す際に、着用物品の折り軸近傍を把持することができるからである。
【０１００】
折り軸が第２領域に存在し、そして着用物品第１層の着用物品第１層端縁及び着用物品第２層の着用物品第２層端縁が第１領域に存在する場合には、個包装体が、第２固定部をさらに備え、剥離シートが、他方の面を構成する第２剥離シートをさらに有し、粘着部が、第２剥離シートと剥離可能に粘着している第２粘着部をさらに有し、第２固定部が、第１領域において、第２剥離シートを、包装体の第２層に固定しており、第２固定部が、厚さ方向において第２粘着部と重複しておらず、第２固定部が、取出方向において、第２粘着部よりも開封面に近く且つ第２粘着部と所定の間隔を空けて配置されていることが好ましい。着用者が、包装体を開封後、露出した着用物品本体の第２領域を把持して、着用物品本体を包装体から取出方向に沿って取出す際に、第２剥離シートが着用物品本体の第２粘着部から外れやすいからである。
【実施例】
【０１０１】
以下、例を挙げて本開示を説明するが、本開示はこれらの例に限定されるものではない。
［製造例１］
第１実施形態に従う個包装体と同様の構造を有する、個包装体Ｎｏ．１を製造した。個包装体Ｎｏ．１では、着用物品が温感シートであり、そして包装体を構成する包装シートは、アルミ蒸着フィルムであった。
［比較製造例２］
着用物品を、夜用の生理用ナプキンに変更した以外は製造例１と同様にして、個包装体Ｎｏ．２を製造した。
［比較製造例３］
着用物品を、温感シートと同一の平面視形状を有するコピー用紙に変更した以外は製造例１と同様にして、個包装体Ｎｏ．３を製造した。なお、コピー用紙は、非常に破断しやすい着用物品を模したものである。
【０１０２】
［実施例１、並びに比較例１及び２］
個包装体Ｎｏ．１〜Ｎｏ．３において、着用物品の剛軟度、着用物品引裂強度、及び包装体引裂強度を測定した。測定は、本明細書に記載の方法に従った。結果を表１にまとめる。
また、個包装体Ｎｏ．１〜Ｎｏ．３の開封性を以下の基準で評価した。
○：包装体を、開封部から開封方向に（開封面に沿って）開封することができた。
×：包装体を、開封部から開封方向に（開封面に沿って）開封することができなかった。
【０１０３】
また、個包装体Ｎｏ．１〜Ｎｏ．３から着用物品を取出した後、着用物品の状態を以下の基準で評価した。
○：着用物品に、破れ、伸び等が生じなかった。
×：着用物品に、破れ、伸び等が生じた。
結果を表１に示す。
【０１０４】
【表１】
2018057444.tif 000004
【０１０５】
個包装体Ｎｏ．１では、包装体を開封部から開封面に沿って開封することができ、そして着用物品が、開封の際に包装体の第２領域と一緒になって折れ曲がることができ、取出し後の着用物品の状態にも問題なかった。
個包装体Ｎｏ．２では、包装体を開封する際に、着用物品が邪魔をし、開封面に沿って開封することができず、着用物品を取出しにくかった。なお、取出し後の着用物品の状態自体には問題がなかった。
個包装体Ｎｏ．３では、包装体を開封部から開封面に沿って開封することができたが、開封の際、着用物品に模したコピー用紙が、開封面に沿って破けてしまった。
【符号の説明】
【０１０６】
１    個包装体
３    着用物品
５    着用物品第１層
７    着用物品第２層
９    包装体
１１    包装体第１層
１３    包装体第２層
１５    周縁部
１７    シール部
１９，２１，２３    開封部
２５    固定部
２７    一方の面
２９    他方の面
３１    着用物品本体
３３    肌当接シート
３５    肌当接面
３７    中間層
３９    着衣当接シート
４１    着衣当接面
４３    粘着部
４５    第１粘着部
４７    第２粘着部
４９    剥離シート
５１    第１剥離シート
５３    第２剥離シート
５５    第１領域
５７    第２領域
５９    第１領域端縁
６１    第２領域端縁
６３    着用物品本体端縁
６５    第１剥離シート端縁
６７    着用物品第１層端縁
６９    着用物品第２層端縁
７１    非重複領域
７３    第２固定部
７５    第２非重複領域
【図１】
2018057444.tif 000005
【図２】
2018057444.tif 000006
【図３】
2018057444.tif 000007
【図４】
2018057444.tif 000008
【図５】
2018057444.tif 000009
【図６】
2018057444.tif 000010
【図７】
2018057444.tif 000011
【図８】
2018057444.tif 000012
【図９】
2018057444.tif 000013
【図１０】
2018057444.tif 000014
【図１１】
2018057444.tif 000015
【図１２】
2018057444.tif 000016